【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
垂直風洞スカイダイビングシミュレータであって、
略方形構造を有する循環気流プレナムと、
前記気流プレナムの略方形構造の第１の垂直側部材内に収容され、少なくとも１人の人間を浮かせることができる垂直飛行チャンバ（１０、１５０３、１７０１、２２０２）と、
少なくとも一つのファンアセンブリ（３）とを備え、
前記少なくとも一つのファンアセンブリ（３）は、並んで配置された複数のファン（４０、４１）を備える、垂直風洞スカイダイビングシミュレータ。
【請求項２】
請求項１に記載のシミュレータにおいて、前記ファンアセンブリ（３）のファン（４０、４１）は、隣接するファンに対して非平行の方式で且つそれらの間の中心線から離れて配置されているシミュレータ。
【請求項３】
請求項２に記載のシミュレータにおいて、前記ファンアセンブリ（３）のファン（４０、４１）の非平行の配置は、前記ファン（４０、４１）のファン平面（Ｐ４１、Ｐ４２）が下方へ向きが変わって鋭角（Ｐ４３）を形成することに起因するシミュレータ。
【請求項４】
請求項１乃至３の何れかに記載のシミュレータにおいて、前記ファンアセンブリ（３）の各ファン（４０、４１）は、拡散器として機能するファンケーシング（１３００）内に配置され、ノーズコーン、ファンの中央体及びテールコーンにより覆い隠されたファンの中心領域を考慮に入れた後に、ファンを通るネット気流領域が気流の分離を生じることなく可能な限り増加する、シミュレータ。
【請求項５】
請求項１乃至４の何れかに記載のシミュレータにおいて、前記ファン（４０、４１）は、交互に配置されて、ファンからの空気柱の間の距離を減少させる、シミュレータ。
【請求項６】
請求項１乃至５の何れかに記載のシミュレータにおいて、前記飛行チャンバ（１０、１５０３、１７０１、２２０２）は、前記ファンアセンブリ（３）の吸入口側に配置されている、シミュレータ。
【請求項７】
請求項６に記載のシミュレータにおいて、前記ファンアセンブリ（３）は、前記気流プレナムの略方形構造の先端部材（３０）に水平に取付けられている、シミュレータ。
【請求項８】
請求項１乃至７の何れかに記載のシミュレータにおいて、前記気流プレナムの各先端部材リターンダクト（３０）、前記第１の垂直側部材、及び第２の垂直側部材リターンダクト（５）は分岐壁セグメントを有することにより、略層流気流を維持しながら、循環気流の流れを拡大する、シミュレータ。
【請求項９】
請求項１乃至３の何れかに記載のシミュレータにおいて、前記気流プレナムの底面部材（７）が分岐壁を有する、シミュレータ。
【請求項１０】
垂直風洞スカイダイビングシミュレータにおいて、
略方形構造を有する循環気流プレナムと、
前記循環気流プレナムの略方形構造の第１の垂直側部材内に収容された少なくとも１人の人間を浮かせることができる垂直飛行チャンバ（１０、１５０３、１７０１、２２０２）と、
少なくとも一つのファンアセンブリ（３）と、を備え、
前記少なくとも一つのファンアセンブリ（３）の各々は、前記飛行チャンバ（１０、１５０３、１７０１、２２０２）の前方に配置された吸入口収縮器（９）に続く複数の拡大リターン空気ダクト（３、５、７）に接続される、垂直風洞スカイダイビングシミュレータ。
【請求項１１】
請求項１０に記載のシミュレータにおいて、前記気流プレナムの各先端部材リターンダクト（３０）、前記第１の垂直側部材、及び第２の垂直側部材リターンダクト（５）は分岐壁セグメントを有することにより、略層流気流を維持しながら、循環気流の流れを拡大する、シミュレータ。
【請求項１２】
請求項１１に記載のシミュレータにおいて、前記ファンアセンブリ（３）は、前記気流プレナムの略方形構造の先端部材（３０）に水平に取付けられている、シミュレータ。
【請求項１３】
請求項１０乃至１２の何れかに記載のシミュレータにおいて、該シミュレータ（１）は、更に請求項１乃至９の特徴の一つ又はそれ以上を備える、シミュレータ。
【請求項１４】
請求項１乃至１３の何れかに記載のシミュレータにおいて、空気吹出口ルーバからのダクト部材において空気吹出口ルーバの反対側に位置する空気吸入口ルーバを有する温度調整器をさらに備え、前記ルーバによって加速ノズルが形成され、それによって低静圧区域を形成して外気を前記空気吸入口引き寄せる、シミュレータ。
【請求項１５】
請求項１４に記載のシミュレータにおいて、前記吹出口ルーバは前記ダクト部材内部で上流を向き、前記吸入口ルーバは前記ダクト部材内部で下流を向き、それによって前記加速ノズルを形成する、シミュレータ。
【請求項１６】
請求項１乃至１５の何れかに記載のシミュレータにおいて、前記飛行チャンバは機械的安全網および先端セグメントを有する底面をさらに備え、前記先端セグメントは人体センサを有し、前記人体センサは、前記先端セグメント付近を人間が飛行しているのが感知された場合に循環空気の気流を減速するコントローラに接続する、シミュレータ。
【請求項１７】
請求項１６に記載のシミュレータにおいて、前記コントローラは、少なくとも１つのファンを減速するように機能するファン制御手段をさらに備える、シミュレータ。
【請求項１８】
請求項１６又は１７に記載のシミュレータにおいて、前記ファン制御手段は、少なくとも１つのファンへの電流フローを一時的に削減するために、ファン電力制御モジュールをさらに備える、シミュレータ。
【請求項１９】
請求項１０乃至１８の何れかに記載のシミュレータにおいて、前記ファンアセンブリは、通過する気流速度を低下させるために分岐壁を有する筐体をさらに備える、シミュレータ。
【請求項２０】
請求項１乃至１９の何れかに記載のシミュレータにおいて、前記垂直飛行チャンバは、マルチチャンバ手段を持つステージング領域をさらに備え、該マルチチャンバ手段は、前記飛行チャンバを通る飛行気流に対して動作可能なように維持しながら、前記垂直飛行チャンバからの進入および脱出を可能にするよう機能する、シミュレータ。
【請求項２１】
請求項１乃至２０の何れかに記載のシミュレータにおいて、前記飛行チャンバは、その下流下端にデフレクタを持つ出入用のドアを有する、シミュレータ。
【請求項２２】
請求項１乃至２１の何れかに記載のシミュレータにおいて、前記底面部材は地下に埋められ、それによって、地表面またはそれより上の前記飛行チャンバに対して取り付け高さを地表面より上に形成する、シミュレータ。
【請求項２３】
請求項１乃至２２の何れかに記載のシミュレータにおいて、前記第１の垂直側部材への吸入口は、前記底面部材の断面セグメントと同じ寸法を有する、シミュレータ。
【請求項２４】
請求項１乃至２３の何れかに記載のシミュレータにおいて、前記第１の垂直側部材と第２の垂直側部材リターンダクトを更に備え、該第１の垂直側部材及び第２の垂直側部材リターンダクトは、前記飛行チャンバに接続しているそれらのプレナムでＶ形状を形成し、
すべての前記垂直リターンプレナムは、前記飛行チャンバの片側における１８０度未満の円弧内にある、飛行シミュレータ。
【請求項２５】
垂直風洞スカイダイビングシミュレータにおいて、
循環気流プレナムと、
垂直飛行チャンバにおいて人間飛行用の気流を提供するためのファンアセンブリと、を備え、
前記気流プレナムの一部は前記気流を拡大および減速するために分岐壁をさらに備え、
前記気流プレナムは温度調整器をさらに備え、
前記温度調整器は前記プレナムの共通セグメント内において、吹出口ルーバとほぼ反対側に取り付けられた吸入口ルーバをさらに備え、前記吹出口ルーバは前記プレナムの前記共通セグメント内において内側および上流を向くドアを有し、前記吸入口ルーバは前記共通セグメント内において内側および下流を向き、
前記ドアは前記プレナムの前記共通セグメントの内部狭窄を形成し、それによって空気を前記吸入口ルーバへ引き込む静圧低下区域を形成する、
垂直風洞スカイダイビングシミュレータ。
【請求項２６】
請求項２５に記載のシミュレータにおいて、前記吹出口ルーバは前記ダクト部材内部で上流を向き、前記吸入口ルーバは前記ダクト部材内部で下流を向き、それによって前記加速ノズルを形成する、シミュレータ。
【請求項２７】
高速の空気柱内を飛行中の人を支持するための飛行チャンバを有する垂直風洞であって、
前記飛行チャンバは安全網床を有し、前記安全網はケーブルで作られた前記垂直風洞において、
前記安全網ケーブルは、ツイストマルチストランド構成を有する少なくとも１つのケーブルをさらに備え、
前記ツイストマルチストランド構成は単一ステップで形成され、
前記ストランドの一部は前記ケーブルの周辺を形成し、
前記周辺ストランドの少なくとも１つは、その他の周辺ストランド直径すべての平均とは異なる直径を有し、
前記異なる直径のストランドは前記ケーブルの外面の周囲にらせん特性を形成し、それによって空中における前記ケーブルの空力抵抗を削減する、垂直風洞。
【請求項２８】
請求項２７に記載の垂直風洞において、前記少なくとも１つの異なる直径のストランドを持つ前記少なくとも１つのケーブルは、さらにより大きい直径のストランドを１つだけ備え、前記らせん特性は畝（ｒｉｄｇｅ）であり、前記周辺ストランドの残りすべては等しい直径である、垂直風洞。
【請求項２９】
請求項２８に記載の垂直風洞において、前記少なくとも１つの異なる直径のストランドを持つ前記少なくとも１つのケーブルは少なくとも１つのより小さい直径のストランドをさらに備え、前記らせん特性は溝であり、前記周辺ストランドの残りすべては等しい直径である、垂直風洞。
【請求項３０】
請求項２７乃至２９の何れかに記載の垂直風洞において、この１つのより大きい直径のストランドは約０．０２８インチの直径を有し、その他すべての周辺ストランドは約０．０１９インチの直径を有し、ストランドの総数は１９であり、そのうち１１は周辺ストランドである、垂直風洞。
【請求項３１】
請求項２７乃至２９の何れかに記載の垂直風洞において、前記１つのより大きい直径のストランドは約０．０３４インチの直径を有し、その他すべての周辺ストランドは約０．０１９インチの直径を有し、ストランドの総数は１９であり、そのうち１１は外周ストランドである、垂直風洞。
【請求項３２】
ケーブルであって、
該ケーブルによって生じた空中における空力抵抗の量を削減することが好都合な応用において使用するために設計された前記ケーブルであって、
前記ケーブルは、単一のツイストステップにおいてともにツイストされる多様な複数の細長い金属要素から形成され、外側要素のセットの１つはその他すべての外側要素より大きい断面を有し、
前記その他すべての外側要素は所定の円周長さを有する前記ケーブルの外面を定義し、前記１つの要素は、前記外面から前記所定の円周長さを上回る距離をもって突出するような断面サイズおよび形状を有して、前記ケーブルの周囲にらせん状の畝を形成し、それによって空中における前記ケーブルの前記空力抵抗を削減する、ケーブル。
【請求項３３】
請求項３２に記載のケーブルにおいて、前記外面はケーブル直径Ｄ、および前記外面からＤの少なくとも約１０％に等しい距離を持って突出する前記１つの要素を定義する、実質的に円形である、ケーブル。
【請求項３４】
ケーブルであって、
該ケーブルによって生じた空中における空力抵抗の量を削減することが好都合な応用において使用するために設計された前記ケーブルであって、
前記ケーブルは、単一のツイストステップにおいてともにツイストされる多様な複数の細長い金属要素から形成され、外側要素のセットの少なくとも１つはその他すべての外側要素より小さい断面を有し、
前記その他すべての外側要素は所定の円周長さを有する前記ケーブルの外面を定義し、前記１つの要素は、前記外面から前記所定の円周長さを下回る距離で刻み目をつけるような断面サイズおよび形状を有して、前記ケーブルの周囲に少なくとも１つのらせん状の溝を形成し、それによって空中における前記ケーブルの前記空力抵抗を削減する、ケーブル。
【請求項３５】
請求項３２又は３３に記載のケーブルにおいて、前記１つのより大きい直径のストランドは約０．０２８インチの直径を有し、その他すべての周辺ストランドは約０．０１９インチの直径を有し、ストランドの総数は１９であり、そのうち１１は外周ストランドである、ケーブル。
【請求項３６】
請求項３２又は３３に記載のケーブルにおいて、前記１つのより大きい直径のストランドは約０．０３４インチの直径を有し、その他すべての周辺ストランドは約０．０１９インチの直径を有し、ストランドの総数は１９であり、そのうち１１は外周ストランドである、ケーブル。